(57)【要約】【課題】不特定多数のユーザーの間で簡易にデータを交換する優れた情報通信装置を提供する。【解決手段】情報通信装置は、周辺に存在し且つ所定の条件に適合するユーザーの位置情報をアイコンで簡易に表示するレーダー画面などのサーチ画面を提示する。また、情報通信装置は、ユーザーがサーチ画面通じて、不特定多数のユーザーとコンタクトする手段を提供する。ユーザーは、情報通信装置を所持してクラブやパーティー、街コンなどのイベントに参加すると、他のユーザーに話し掛けたいという意欲が湧き、出会いの機会を増やすことができる。【選択図】  図１
2014146357.tif 000002
【特許請求の範囲】
【請求項１】
表示部、
数メートル乃至数十メートル以内で無線信号を送受信する近接通信部、
前記近接通信部の受信信号に基づいて周辺のユーザーを探索し、当該情報通信装置のユーザーを表す自分アイコン並びに周辺のユーザーを表す相手アイコンを各ユーザーの位置情報に基づいて配置したサーチ画面を前記表示部で表示するサーチ機能部、
としてコンピューターを機能させるようにコンピューター可読形式で既述されたことを特徴とするコンピューター・プログラム。
【請求項２】
前記サーチ機能部は、周辺のユーザーが所持する情報通信装置が前記近接通信部から送信する報知信号を受信したことによりユーザーを検出する、
ことを特徴とする請求項１に記載のコンピューター・プログラム。
【請求項３】
前記報知信号は、送信元のユーザーを識別する情報とアイコンの種類を指定する情報を含む、
ことを特徴とする請求項２に記載のコンピューター・プログラム。
【請求項４】
前記サーチ機能部は、基準位置に自分アイコンを配置するとともに、当該情報通信装置のユーザーとの相対的な位置関係に対応する画面位置に相手アイコンを配置したレーダー画面を前記サーチ画面として前記表示部で表示する、
ことを特徴とする請求項１に記載のコンピューター・プログラム。
【請求項５】
前記サーチ機能部は、自分アイコンに接近した相手アイコンに対する挨拶機能を備える、
ことを特徴とする請求項１に記載のコンピューター・プログラム。
【請求項６】
前記サーチ機能部は、前記挨拶機能を相手アイコンが自分アイコンに接近してから所定時間のチャンスタイムに制限し、前記挨拶機能の対象となる相手アイコンにエフェクトを掛ける、
ことを特徴とする請求項５に記載のコンピューター・プログラム。
【請求項７】
前記サーチ機能部は、前記サーチ画面上で自分アイコンから相手アイコンに対して挨拶を行なうユーザー操作が行なわれたことに応答して、相手アイコンにメッセージを送信する、
ことを特徴とする請求項５に記載のコンピューター・プログラム。
【請求項８】
前記サーチ機能部は、地物を表示した地図模様のバックグラウンドを有し、自分アイコンと相手アイコンをそれぞれの絶対位置に基づいて前記地図上に配置したＭＡＰ画面を前記サーチ画面として前記表示部で表示する、
ことを特徴とする請求項１に記載のコンピューター・プログラム。
【請求項９】
前記サーチ機能部は、ユーザーの状態を表現した絵柄からなるステータス・アイコンを用いて、前記サーチ画面上に自分アイコン並びに相手アイコンを表示する、
請求項１に記載のコンピューター・プログラム。
【請求項１０】
前記サーチ機能部は、ステータス・アイコンの周辺に１以上の付属情報を配置する、
ことを特徴とする請求項９に記載のコンピューター・プログラム。
【請求項１１】
前記サーチ機能部は、ユーザー本人が相手アイコンのユーザーに過去に関わった回数を示す履歴情報、相手アイコンのユーザーの名前情報、ユーザー本人と相手アイコンのユーザーとの親密度を表す親密度情報のうち少なくとも１つを付属情報として配置する、
ことを特徴とする請求項９に記載のコンピューター・プログラム。
【請求項１２】
前記コンピューターを、前記サーチ画面に表示する相手アイコンを制限するユーザーの条件を設定する通知設定機能部としてさらに機能させ、
前記サーチ機能部は、検出したユーザーのうち前記ユーザーの条件に適合するものの相手アイコンのみを前記サーチ画面に表示する、
ことを特徴とする請求項１に記載のコンピューター・プログラム。
【請求項１３】
前記通知設定機能部は、性別、ユーザー本人が過去に関わったユーザーの履歴情報のうち少なくとも１つを基本的なユーザーの条件として設定する、
ことを特徴とする請求項１２に記載のコンピューター・プログラム。
【請求項１４】
前記通知設定機能部は、キーワードのリストを提示し、前記リストからユーザーが選択したキーワードを前記ユーザーの条件として設定する、
ことを特徴とする請求項１２に記載のコンピューター・プログラム。
【請求項１５】
前記通知設定機能部は、前記リストとして、サービス運営者が用意するキーワードの集合からなる運営側リスト、個々のユーザーが投稿したキーワードの集合からなる投稿リスト、エリア毎に限定されたキーワードの集合からなるエリア限定リストのうち少なくとも１つをユーザーに提示する、
ことを特徴とする請求項１４に記載のコンピューター・プログラム。
【請求項１６】
前記通知設定機能部は、ユーザーが前記リストから選択したキーワードについて、さらにユーザーの属性でユーザーの条件を絞り込むユーザー属性設定を受け付ける、
ことを特徴とする請求項１４に記載のコンピューター・プログラム。
【請求項１７】
前記通知設定機能部は、設定したユーザーの条件に適合する両ユーザーに連絡する、
請求項１２に記載のコンピューター・プログラム。
【請求項１８】
前記コンピューターを、当該情報通信装置のユーザー本人の情報を設定する自分発信者情報設定機能部としてさらに機能させる、
ことを特徴とする請求項１に記載のコンピューター・プログラム。
【請求項１９】
前記自分発信者情報設定機能部は、前記サーチ画面上で自分アイコンが操作されたことに応答して、当該情報通信装置のユーザー本人に関するステータスを示すステータス表示画面を前記表示部で表示する、
ことを特徴とする請求項１８に記載のコンピューター・プログラム。
【請求項２０】
前記ステータス表示画面は、当該情報通信装置のユーザー本人の出会いに関する履歴情報を表示する、
ことを特徴とする請求項１９に記載のコンピューター・プログラム。
【請求項２１】
前記ステータス表示画面は、利用が可能なステータス・アイコンの一覧を表示し、
前記自分発信者情報設定機能部は、前記一覧の中から選択されたステータス・アイコンを自分アイコンに設定する、
ことを特徴とする請求項１９に記載のコンピューター・プログラム。
【請求項２２】
前記コンピューターを、相手アイコンに対応する相手発信者ユーザーに関する情報を提示する相手発信者情報提示機能部としてさらに機能させる、
ことを特徴とする請求項１に記載のコンピューター・プログラム。
【請求項２３】
前記相手発信者情報提示機能部は、前記サーチ画面上で相手アイコンが操作されたことに応じて起動して、相手発信者情報提示画面を前記表示部で表示する、
ことを特徴とする請求項２２に記載のコンピューター・プログラム。
【請求項２４】
前記相手発信者情報提示画面は、相手アイコンのユーザーへの交信を指示するコンタクト・ボタンを有し、
前記コンピューターを、前記コンタクト・ボタンが操作されたことに応じて相手アイコンのユーザーと交信する相手交信機能部としてさらに機能させる、
ことを特徴とする請求項２３に記載のコンピューター・プログラム。
【請求項２５】
表示部と、
数メートル乃至数十メートル以内で無線信号を送受信する近接通信部と、
前記近接通信部の受信信号に基づいて周辺のユーザーを探索し、当該情報通信装置のユーザーを表す自分アイコン並びに周辺のユーザーを表す相手アイコンを各ユーザーの位置情報に基づいて配置したサーチ画面を前記表示部で表示するサーチ機能部と、
を具備することを特徴とする情報通信装置。
【発明の詳細な説明】
【技術分野】
【０００１】
本発明は、ユーザー間でデータを交換するためのコンピューター・プログラム並びに情報通信装置に関する。
【背景技術】
【０００２】
最近、スマートフォンやタブレット端末など、個人が所有し、小型で携帯に便利な情報機器が広範に普及している。この種の情報機器は、携帯電話網を介してインターネットに接続可能であるとともに、Ｗｉ−Ｆｉ（Ｗｉｒｅｌｅｓｓ  Ｆｉｄｅｌｉｔｙ）やＢｌｕｅｔｏｏｔｈ（登録商標）のような比較的距離の短い無線通信手段を搭載しており、コミュニケーション・ツールとして利用することができる。
【０００３】
例えば、各ユーザーの履歴情報をユーザーに共通に提供して、ユーザー同士の出会いや知識交換を促進する知識共有促進システムについて提案がなされている（例えば、特許文献１を参照のこと）。同システムでは、各ユーザーは、自分の携帯ガイド端末によりそれぞれ異なった見学経路で展示物に対する案内情報を受けつつ、その見学履歴を携帯ガイド端末中に蓄積している。エージェント・サロンに各ユーザーがエントリーすると、大画面ディスプレイ上に各ユーザーのエージェントが乗り移り、各ユーザーの履歴情報の比較結果に基づいてディスプレイ上でこのエージェントが擬似的な会話を行なう。これにより、各ユーザーは互いの興味や関心の共通点や相違点を知ることができる。
【０００４】
また、ローカル・コミュニケーション・サービスを実行するサーバーを介して、サービス・エリア内にいる不特定多数に対してコミュニケーションをとる情報端末装置について提案がなされている（例えば、特許文献２を参照のこと）。
【先行技術文献】
【特許文献】
【０００５】
【特許文献１】特開２００１−１９５４３０号公報
【特許文献２】特開２００４−２２０５２２号公報
【発明の概要】
【発明が解決しようとする課題】
【０００６】
本発明の目的は、不特定多数のユーザーの間で簡易にデータを交換することができる、優れたコンピューター・プログラム並びに情報通信装置を提供することにある。
【課題を解決するための手段】
【０００７】
本願は、上記課題を参酌してなされたものであり、請求項１に記載の発明は、
表示部、
数メートル乃至数十メートル以内で無線信号を送受信する近接通信部、
前記近接通信部の受信信号に基づいて周辺のユーザーを探索し、当該情報通信装置のユーザーを表す自分アイコン並びに周辺のユーザーを表す相手アイコンを各ユーザーの位置情報に基づいて配置したサーチ画面を前記表示部で表示するサーチ機能部、
としてコンピューターを機能させるようにコンピューター可読形式で既述されたことを特徴とするコンピューター・プログラムである。
【０００８】
本願の請求項２に記載の発明によれば、請求項１に記載のコンピューター・プログラムの前記サーチ機能部は、周辺のユーザーが所持する情報通信装置が前記近接通信部から送信する報知信号を受信したことによりユーザーを検出するように構成されている。
【０００９】
本願の請求項３に記載の発明によれば、請求項２に記載のコンピューター・プログラムにおいて、前記報知信号は、送信元のユーザーを識別する情報とアイコンの種類を指定する情報を含んでいる。
【００１０】
本願の請求項４に記載の発明によれば、請求項１に記載のコンピューター・プログラムの前記サーチ機能部は、基準位置に自分アイコンを配置するとともに、当該情報通信装置のユーザーとの相対的な位置関係に対応する画面位置に相手アイコンを配置したレーダー画面を前記サーチ画面として前記表示部で表示するように構成されている。
【００１１】
本願の請求項５に記載の発明によれば、請求項１に記載のコンピューター・プログラムの前記サーチ機能部は、自分アイコンに接近した相手アイコンに対する挨拶機能を備えている。
【００１２】
本願の請求項６に記載の発明によれば、請求項５に記載のコンピューター・プログラムの前記サーチ機能部は、前記挨拶機能を相手アイコンが自分アイコンに接近してから所定時間のチャンスタイムに制限し、前記挨拶機能の対象となる相手アイコンにエフェクトを掛けるように構成されている。
【００１３】
本願の請求項７に記載の発明によれば、請求項５に記載のコンピューター・プログラムの前記サーチ機能部は、前記サーチ画面上で自分アイコンから相手アイコンに対して挨拶を行なうユーザー操作が行なわれたことに応答して、相手アイコンにメッセージを送信するように構成されている。
【００１４】
本願の請求項８に記載の発明によれば、請求項１に記載のコンピューター・プログラムの前記サーチ機能部は、地物を表示した地図模様のバックグラウンドを有し、自分アイコンと相手アイコンをそれぞれの絶対位置に基づいて前記地図上に配置したＭＡＰ画面を前記サーチ画面として前記表示部で表示するように構成されている。
【００１５】
本願の請求項９に記載の発明によれば、請求項１に記載のコンピューター・プログラムの前記サーチ機能部は、ユーザーの状態を表現した絵柄からなるステータス・アイコンを用いて、前記サーチ画面上に自分アイコン並びに相手アイコンを表示するように構成されている。
【００１６】
本願の請求項１０に記載の発明によれば、請求項９に記載のコンピューター・プログラムの前記サーチ機能部は、ステータス・アイコンの周辺に１以上の付属情報を配置するように構成されている。
【００１７】
本願の請求項１１に記載の発明によれば、請求項９に記載のコンピューター・プログラムの前記サーチ機能部は、ユーザー本人が相手アイコンのユーザーに過去に関わった回数を示す履歴情報、相手アイコンのユーザーの名前情報、ユーザー本人と相手アイコンのユーザーとの親密度を表す親密度情報のうち少なくとも１つを付属情報として配置するように構成されている。
【００１８】
本願の請求項１２に記載の発明によれば、請求項１に記載のコンピューター・プログラムは、前記コンピューターを、前記サーチ画面に表示する相手アイコンを制限するユーザーの条件を設定する通知設定機能部としてさらに機能させる。そして、前記サーチ機能部は、検出したユーザーのうち前記ユーザーの条件に適合するものの相手アイコンのみを前記サーチ画面に表示するように構成されている。
【００１９】
本願の請求項１３に記載の発明によれば、請求項１２に記載のコンピューター・プログラムの前記通知設定機能部は、性別、ユーザー本人が過去に関わったユーザーの履歴情報のうち少なくとも１つを基本的なユーザーの条件として設定するように構成されている。
【００２０】
本願の請求項１４に記載の発明によれば、請求項１２に記載のコンピューター・プログラムの前記通知設定機能部は、キーワードのリストを提示し、前記リストからユーザーが選択したキーワードを前記ユーザーの条件として設定するように構成されている。
【００２１】
本願の請求項１５に記載の発明によれば、請求項１４に記載のコンピューター・プログラムの前記通知設定機能部は、前記リストとして、サービス運営者が用意するキーワードの集合からなる運営側リスト、個々のユーザーが投稿したキーワードの集合からなる投稿リスト、エリア毎に限定されたキーワードの集合からなるエリア限定リストのうち少なくとも１つをユーザーに提示するように構成されている。
【００２２】
本願の請求項１６に記載の発明によれば、請求項１４に記載のコンピューター・プログラムの前記通知設定機能部は、ユーザーが前記リストから選択したキーワードについて、さらにユーザーの属性でユーザーの条件を絞り込むユーザー属性設定を受け付けるように構成されている。
【００２３】
本願の請求項１７に記載の発明によれば、請求項１２に記載のコンピューター・プログラムの前記通知設定機能部は、設定したユーザーの条件に適合する両ユーザーに連絡するように構成されている。
【００２４】
本願の請求項１８に記載の発明によれば、請求項１に記載のコンピューター・プログラムは、前記コンピューターを、当該情報通信装置のユーザー本人の情報を設定する自分発信者情報設定機能部としてさらに機能させる。
【００２５】
本願の請求項１９に記載の発明によれば、請求項１９に記載のコンピューター・プログラムの前記自分発信者情報設定機能部は、前記サーチ画面上で自分アイコンが操作されたことに応答して、当該情報通信装置のユーザー本人に関するステータスを示すステータス表示画面を前記表示部で表示するように構成されている。
【００２６】
本願の請求項２０に記載の発明によれば、請求項１９に記載のコンピューター・プログラムの前記ステータス表示画面は、当該情報通信装置のユーザー本人の出会いに関する履歴情報を表示するように構成されている。
【００２７】
本願の請求項２１に記載の発明によれば、請求項１９に記載のコンピューター・プログラムの前記ステータス表示画面は、利用が可能なステータス・アイコンの一覧を表示し、前記自分発信者情報設定機能部は、前記一覧の中から選択されたステータス・アイコンを自分アイコンに設定するように構成されている。
【００２８】
本願の請求項２２に記載の発明によれば、請求項１に記載のコンピューター・プログラムは、前記コンピューターを、相手アイコンに対応する相手発信者ユーザーに関する情報を提示する相手発信者情報提示機能部としてさらに機能させる。
【００２９】
本願の請求項２３に記載の発明によれば、請求項２２に記載のコンピューター・プログラムの前記相手発信者情報提示機能部は、前記サーチ画面上で相手アイコンが操作されたことに応じて起動して、相手発信者情報提示画面を前記表示部で表示するように構成されている。
【００３０】
本願の請求項２４に記載の発明によれば、前記相手発信者情報提示画面は、相手アイコンのユーザーへの交信を指示するコンタクト・ボタンを有している。そして、請求項２３に記載のコンピューター・プログラムは、前記コンピューターを、前記コンタクト・ボタンが操作されたことに応じて相手アイコンのユーザーと交信する相手交信機能部としてさらに機能させる。
【００３１】
また、本願の請求項２５に記載の発明は、
表示部と、
数メートル乃至数十メートル以内で無線信号を送受信する近接通信部と、
前記近接通信部の受信信号に基づいて周辺のユーザーを探索し、当該情報通信装置のユーザーを表す自分アイコン並びに周辺のユーザーを表す相手アイコンを各ユーザーの位置情報に基づいて配置したサーチ画面を前記表示部で表示するサーチ機能部と、
を具備することを特徴とする情報通信装置である。
【発明の効果】
【００３２】
本発明によれば、不特定多数のユーザーの間で簡易にデータを交換することができる、優れたコンピューター・プログラム並びに情報通信装置を提供することができる。
【００３３】
本発明のさらに他の目的、特徴や利点は、後述する実施形態や添付する図面に基づくより詳細な説明によって明らかになるであろう。
【図面の簡単な説明】
【００３４】
【図１】図１は、本発明を適用することができる情報通信装置１００の構成例を模式的に示した図である。
【図２】図２は、出会いサポート・アプリケーションが提供する機能を示した状態遷移図である。
【図３】図３は、レーダー画面３００を示した図である。
【図４】図４は、ＭＡＰ画面４００を示した図である。
【図５】図５は、通知設定画面５００を示した図である。
【図６】図６は、イベントが催される場内の各ユーザーの情報通信装置１００−１、１００−２、１００−３、…が報知信号を送出し合っている様子を示した図である。
【図７】図７は、参加者アイコンを拡大して示した図である
【図８】図８は、レーダー画面３００上での挨拶機能を説明するための図（自分アイコンから相手アイコンへ挨拶する様子を示した図）である。
【図９】図９は、レーダー画面３００上での挨拶機能を説明するための図（相手アイコンから自分アイコンへ挨拶が行なわれる様子を示した図）である。
【図１０】図１０は、レーダー画面３００上での挨拶機能を説明するための図（相手アイコンから自分アイコンへ挨拶が返される様子を示した図）である。
【図１１】図１１は、レーダー画面３００上での挨拶機能を説明するための図（相手アイコンから自分アイコンへ挨拶が返される様子を示した図）である。
【図１２】図１２は、レーダー画面３００上での挨拶機能を説明するための図（挨拶が成功したときの画面を示した図）である。
【図１３】図１３は、キーワード一覧画面１３００の構成例を示した図である。
【図１４】図１４は、ユーザー属性設定画面１４００の構成例を示した図である。
【図１５】図１５は、初期設定画面１５００の構成例を示した図である。
【図１６】図１６は、ステータス表示画面１６００の構成例を示した図である。
【図１７】図１７は、履歴情報表示画面１７００の構成例を示した図である。
【図１８】図１８は、ステータス・アイコンが表現するユーザーの状態の例をリストアップした図である。
【図１９】図１９は、相手発信者情報提示画面１９００の構成例を示した図である。
【図２０】図２０は、相手発信者と出会った場所やすれ違った場所の地図情報画面２１００を示した図である。
【図２１】図２１は、自分発信者が相手発信者と出会った場所やすれ違った場所を地図上で示す地図情報画面２１００を例示した図である。
【発明を実施するための形態】
【００３５】
以下、図面を参照しながら本発明の実施形態について詳細に説明する。
【００３６】
Ａ．システム構成
図１には、本発明を適用することができる情報通信装置１００の構成例を模式的に示している。図示の情報通信装置１００は、制御部１１０に対して、表示部１２０や音声処理部１３０、通信部１４０、記憶部１５０、カメラ部１６０、センサー部１７０などが接続されることにより構成されている。
【００３７】
制御部１１０は、ＣＰＵ（Ｃｅｎｔｒａｌ  Ｐｒｏｃｅｓｓｉｎｇ  Ｕｎｉｔ）１１１、ＲＯＭ（Ｒｅａｄ  Ｏｎｌｙ  Ｍｅｍｏｒｙ）１１２、ＲＡＭ（Ｒａｎｄｏｍ  Ａｃｃｅｓｓ  Ｍｅｍｏｒｙ）１１３などにより構成される。ＲＯＭ１１２内には、ＣＰＵ１１１が実行するプログラム・コードや当該情報通信装置１００に必須の情報などが格納されている。
【００３８】
ＣＰＵ１１１は、ＲＯＭ１１２や記憶部１４０からＲＡＭ１１３にプログラム・コードをロードして実行する。ＣＰＵ１１１が実行するプログラムには、ＡｎｄｒｏｉｄやｉＯＳなどのオペレーティング・システムや、出会いをサポートする出会いサポート・アプリケーションなどオペレーティング・システムが提供する実行環境下で動作する各種アプリケーション・プログラムを挙げることができる。
【００３９】
表示部１２０は、液晶素子や有機ＥＬ（Ｅｌｅｃｔｒｏ  Ｌｕｍｉｎｅｓｃｅｎｃｅ）素子などからなる表示パネル１２１と、この表示パネル１２２の上面に貼設された透明なタッチパネル１２３を備えている。表示パネル１２１は、表示インターフェース１２２を介して制御部１１０に接続され、制御部１１０で生成された画像情報を表示出力する。また、タッチパネル１２３は、タッチ・インターフェース１２４を介して制御部１１０に接続され、ユーザーが表示パネル１２１上を指先で操作した座標情報を制御部１１０に出力する。制御部１１０側では、入力された座標情報に基づいて、タップや長押し、フリック、スワイプなどのユーザー操作を検出して、ユーザー操作に対応する処理を起動する。また、図示を省略するが、表示部１２０は、ＬＥＤ（Ｌｉｇｈｔ  Ｅｍｉｔｔｉｎｇ  Ｄｉｏｄｅ）インジケーターを備えていてもよい。
【００４０】
音声処理部１３０は、スピーカーなどの音声出力部１３１と、マイクロフォンなどの音声入力部１３２と、入出力される音声信号を符号化復号処理する音声コーデック（ＣＯＤＥＣ）１３３を備えている。また、音声処理部１３０は、音声信号をヘッドフォン（図示しない）に出力するための出力端子１３４をさらに備えていてもよい。
【００４１】
通信部１４０は、制御部１１０で実行するアプリケーション（出会いサポート・アプリケーションなど）が通信媒体を介して外部装置との間でデータを交換するための通信処理を行なう。ここで言う外部装置として、他のユーザーが使用する別の情報通信装置１００や、インターネット上に存在する出会いサポート・サーバー（後述）などを挙げることができる。
【００４２】
本実施形態では、通信部１３０は、携帯電話網などの広域通信網を通信媒体として使用して比較的長い距離離れた相手と無線又は有線により通信を行なう長距離通信部１４１と、Ｗｉ−ＦｉやＢｌｕｅｔｏｏｔｈ（登録商標）など数メートル乃至数十メートル程度の比較的短い距離しか離れていない相手と無線により通信を行なう近接通信部１４２を備えている。
【００４３】
カメラ部１６０は、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などレンズ（図示しない）を介して取り込まれた光を光電変換するイメージ・センサー１６１と、イメージ・センサー１６１の検出信号のノイズ除去やディジタル化を行なって画像データを生成するＡＦＥ（Ａｎａｌｏｇ  Ｆｒｏｎｔ  Ｅｎｄ）処理部１６２を備え、生成した画像データをカメラ・インターフェース１６３から制御部１１０に出力する。
【００４４】
記憶部１５０は、例えばＳＳＤ（Ｓｏｌｉｄ  Ｓｔａｔｅ  Ｄｒｉｖｅ）やＨＤＤ（Ｈａｒｄ  Ｄｉｓｃ  Ｄｒｉｖｅ）などの大容量の記憶装置からなる。例えば、通信部１４０を介してダウンロードしたアプリケーション・プログラム、通信相手から取得したデータや通信相手との履歴情報、カメラ部１６０で撮影した静止画や動画などの画像データなどは、記憶部１５０に格納される。
【００４５】
センサー部１７０は、当該情報通信装置１００の位置情報を取得するためのＧＰＳ（Ｇｌｏｂａｌ  Ｐｏｓｏｔｉｏｎｉｎｇ  Ｓｙｓｔｅｍ）センサーや、当該情報通信装置１００本体の姿勢や作用する力を検出するためのジャイロ・センサー、加速度センサーなどを含んでいる。
【００４６】
図１に示した情報通信装置１００は、個人が所有し、スマートフォンやタブレット端末など、小型で携帯に便利な情報機器を想定している。クラブやパーティー、街コンなど、共通の趣味や興味を持つ不特定多数が参加してさまざまな活動が行なわれるイベント内では、各参加者は、自分の情報通信装置１００を所持することで、データを交換し合って、コミュニケーション・ツールとして利用することができる。
【００４７】
本実施形態では、情報通信装置１００は、出会いサポート・アプリケーションをインストールし、クラブやパーティー、街コン、その他のイベントに参加した際にＣＰＵ１１１が当該アプリケーションを起動することで、ユーザー同士の出会いを支援する。
【００４８】
図２には、出会いサポート・アプリケーションが提供する機能を状態遷移図の形式で示している。出会いサポート・アプリケーションは、自分発信者情報設定機能２０１と、サーチ機能２０２と、相手発信者情報提示機能２０３と、相手交信機能２０４を備えている。
【００４９】
自分発信者情報設定機能２０１は、情報通信装置１００を使用するユーザー本人すなわち自分発信者の情報を設定する機能である。サーチ機能２０２は、同じイベントに参加する他のユーザーを探索して、検出した各々の位置情報をサーチ画面上に表示して、出会いをサポートする機能である。相手発信者情報提示機能２０３は、サーチ画面を介して指定したユーザーすなわち相手発信者の情報を提示する機能である。相手発信者情報提示機能２０３が提示する情報は、例えば、相手発信者のユーザーが自分の情報通信装置１００で設定した自分発信者の情報に基づく。相手交信機能２０４は、サーチ画面上に表示されている他のユーザーと電話やインターネットなどを介して相互接続して交信（会話）する機能である。例えばサーチ機能２０２や相手発信者情報提示機能２０３を通じて相手交信機能２０４が起動する。
【００５０】
出会いサポート・アプリケーションを起動する情報通信装置１００は、自分発信者情報設定機能２０１、サーチ機能２０２、相手発信者情報提示機能２０３、相手交信機能２０４の各々に対応した自分発信者情報設定画面、サーチ画面、相手発信者情報提示画面、相手交信画面を表示パネル１２１に表示する。例えばユーザーがタッチパネル１２３上でスワイプ操作や、メニューのタップ操作などにより各機能の画面を遷移させることができる。以下、各機能２０１〜２０４について説明する。
【００５１】
Ｂ．サーチ機能
サーチ機能２０２は、クラブやパーティー、街コンなど同じイベントに参加する他のユーザーを探索して、検出した各々の位置情報をサーチ画面上に表示して、出会いをサポートする。本実施形態では、サーチ機能２０２が提供するサーチ画面は、図３に示すようなユーザー本人と他のユーザーとの相対的な位置関係を簡易に表示するレーダー画面３００と、図４に示すようなユーザー本人と他のユーザーの絶対位置を地図上に表示するＭＡＰ画面４００の２通りがある。また、サーチ機能２０２は、サーチ画面３００、４００に表示するユーザーの条件を設定するために、図５に示すような通知設定画面５００を表示する。ユーザーは、サーチ機能２０２を実行中の情報通信装置１００のタッチパネル１２３上で、例えばスワイプ操作することにより、レーダー画面３００⇔ＭＡＰ画面４００⇔通知設定画面５００の間を画面遷移させることができる。例えば、ユーザーは、図３に示したレーダー画面３００を左方向にスワイプすることで、ＭＡＰ画面４００に遷移させることができる。また、ＭＡＰ画面４００を右方向にスワイプすることで、レーダー画面３００に復帰させることができる。付言すれば、ＭＡＰ画面４００を左方向にスワイプすることで、後述する通知設定画面５００に遷移させることができ、通知設定画面５００を右方向にスワイプすることで、ＭＡＰ画面４００に遷移させることができる。以下、各画面３００、４００、５００の構成と提供される機能について説明する。
【００５２】
Ｂ−１．レーダー画面
レーダー画面３００は、出会いサポート・アプリケーションのホーム画面に相当する。そして、このバックグラウンド上に、クラブやパーティー、街コン、その他のイベントの各参加者を表す、自分アイコン３０１や相手アイコン３１１、３１２、３１３、…などの参加者アイコンが表示される。
【００５３】
具体的には、レーダー画面３００の手前の基準位置にユーザー本人すなわち自分発信者を表す自分アイコン３０１を配置するとともに、サーチ機能２０２により検出された他の各ユーザーを表す相手アイコン３１１、３１２、３１３、…を検出された距離に応じた画面位置に配置して、ユーザー間の相対的な位置関係を簡易に表現している。但し、サーチ機能２０２は、イベントが催される場内で検出した複数の他ユーザーの情報を、通知設定画面５００を通じて設定されたユーザーの条件に基づいてフィルタリング処理し、設定されたユーザーの条件に適合するもののみをレーダー画面３００に表示するものとする。
【００５４】
また、レーダー画面３００のバックグラウンドには、自分アイコン３１１を配置した基準位置を中心として同心円状に複数の目盛り３５１、３５２、３５３、…が描かれている。目盛り３５１、３５２、３５３、…は、例えば現実空間の５メートルの間隔を表し、ユーザー本人から他の各ユーザーのアイコン３１１、３１２、３１３、…までの距離を把握する目安となる。また、遠近感を表現するために、目盛り３５１、３５２、３５３、…間の間隔を、遠くに行くほど徐々に小さくしている。
【００５５】
また、相手アイコン３１１、３１２、３１３、…は、距離が近くなるほど大きく表示して、距離に対するメリハリを付けた表示にする。ユーザーが移動すると、相対的な位置関係が変化するので、レーダー画面３００上では対応する相手アイコン３１１、３１２、３１３、…が追従して動く。相手アイコン３１１、３１２、３１３、…の表示位置をアップデートする際、近くにいる相手アイコンほど距離に関する動きが大きくなるので、ユーザーは距離が短い人を優先的に判別し易くなる。
【００５６】
また、図３では、円形状の自分アイコン３０１並びに相手アイコン３１１、３１２、３１３、…などの参加者アイコンを概略的に示しているが、実際には複数種類のステータス・アイコンが用意されており、各ユーザーの状態を表現した絵柄からなるステータス・アイコンが参加者アイコンとして表示されるものとする（後述）。ステータス・アイコンの種類はアイコン番号で識別することができる。各ユーザーは、各々の情報通信装置１００上で、自分発信者情報設定機能２０１を用いて現在のステータス・アイコン（ステータスに対応するアイコン番号）を指定することができる。但し、ステータス・アイコンを指定する機能の詳細については後述に譲る。
【００５７】
サーチ機能２０２は、レーダー画面３００上の自分アイコン３０１並びに相手アイコン３１１、３１２、３１３、…の表示をリアルタイムでアップデートする。自分アイコン３０１や相手アイコン３１１、３１２、３１３、…で使用するステータス・アイコンが変更したときには、波紋が広がるようなエフェクトを掛けるようにしてもよい。また、レーダー画面３００に登場した相手アイコンに波紋が広がるようなエフェクトを掛けると、ユーザーの目を引き、出会いの機会が増える。また、相手交信機能２０４（後述）により通信中の相手アイコンに、波紋が広がるあるいはその他の形態のエフェクトを掛けるようにしてもよい。
【００５８】
自分アイコン３０１や相手アイコン３１１、３１２、３１３、…を含むレーダー画面３００をリアルタイムでアップデートするために、時々刻々と移動する他のユーザー（厳密には、他のユーザーが所持する情報通信装置１００）を探索する必要がある。例えば、互いの情報通信装置１００の長距離通信部１４１又は近接通信部１４２を利用して相互通信して互いの情報を交換することも考えられるが、ユーザー間で逐次１対１のコネクションを確立して互いの情報を得るようにすると、通信コストがかかり、レーダー画面３００をリアルタイムでアップデートするのは困難である。
【００５９】
そこで、本実施形態では、各ユーザーの情報通信装置１００が、他のユーザーのレーダー画面３００上に自分のアイコンに必要最低限となる小サイズの情報を、近接通信部１４２から所定の周期（例えば、数秒毎、又は、数百ミリ秒毎）に報知するようにしている。但し、混雑時には、各ユーザーの情報通信装置１００は、互いの報知信号が干渉し合わないように、送信タイミングを調整する必要がある。図６には、クラブやパーティー、街コン、その他のイベント内の各ユーザーの情報通信装置１００−１、１００−２、１００−３、…が報知信号を送出し合っている様子を示している。
【００６０】
各ユーザーの情報通信装置１００から送出される報知信号は、ユーザーを識別するユーザーＩＤと、ユーザーが指定したステータス・アイコンのアイコン番号を最低限含むものとする。報知信号の通信帯域が許す限り、ユーザーの性別や年齢などの属性情報を符号化したデータなどを、報知信号にさらに記載するようにしてもよい。
【００６１】
報知信号は、例えばＩＥＥＥ８０２．１１などの無線ＬＡＮ（Ｌｏｃａｌ  Ａｒｅａ  Ｎｅｔｗｏｒｋ）規格で規定されているビーコン・フレームのように、通信相手とのコネクションの確立なしに、一方的に送りつける信号である。したがって、各ユーザーの情報通信装置１００は、自分の情報を周囲（イベントが催される場内の他のユーザー）に伝えるのに、近接通信部１４２からの報知信号を用いることで、コネクションなしにユーザーＩＤ並びにアイコン番号を通知し合うことができ、コネクションのための通信時間や通信コストが不要となる。近接通信部１４２の通信距離は数メートル乃至数十メートルあり、クラブやパーティー、街コンなどの会場内で報知信号を伝達するには十分な出力と考えられる。近接通信部１４２は微弱な電波を利用することと、ユーザー（ユーザーが所持する情報通信装置１００）は常に移動しており、通信が不安定であることから、報知信号の通信量は少なく制限すべきである。言い換えれば、近接通信部１４２を利用して報知信号を伝えることで、不安定な近接通信の環境下でも、レーダー画面３００を表示するという目的を遂行することができる。
【００６２】
また、情報通信装置１００は、他のユーザーから受信した近接通信の報知信号の受信電波強度に基づいてユーザー間の距離を推定することができ、レーダー画面３００内での相手アイコンを配置する位置を決めるのに利用することができる。勿論、受信電波強度以外の他の方法で他のユーザーの位置を検出するようにしてもよい。
【００６３】
図３には、自分アイコン３０１並びに相手アイコン３１１、３１２、３１３、…などの参加者アイコンを円形状に抽象化して示しているが、図７には、参加者アイコンを拡大して示している。図示のように、参加者アイコンは、ユーザーの状態に対応した絵柄からなるステータス・アイコン７０１と、ステータス・アイコン７０１の周辺に配置された１以上の付属情報７０２、…からなる。ステータス・アイコン７０１は、対応するユーザーがアイコン番号で指定することができる（後述）。同じ絵柄のステータス・アイコン７０１であっても、男性ならず青、女性なら赤など、対応するユーザーの性別や年齢に応じてアイコンの色や濃淡を変えて表示するようにしてもよい。また、付属情報７０２、…は、自分アイコン３０１には表示されず、相手アイコン３１１、３１２、３１３、…にのみ表示される。自分アイコン３０１のユーザーは、レーダー画面３００やＭＡＰ画面４００などのサーチ画面上で相手アイコンの付属情報７０１、…を見て、相手アイコンのユーザーへのコンタクトを喚起する情報からなる。
【００６４】
参照番号７０２で示す付属情報は、ユーザー本人が相手アイコンのユーザーに過去に関わった回数を示す履歴情報である。履歴情報７０２は、例えば後述する相手交信機能２０４を使って相手アイコンのユーザーにコンタクト（会話）した回数や、レーダー画面３００（ＭＡＰ画面４００を含めてもよい）上で相手アイコンに対しタップなどの操作を行なった回数、相手アイコンのユーザーと過去にすれ違った回数などである。図７に示す例では、履歴情報７０２として３０という実数値が表示されているが、特定の記号などを用いて表示するようにしてもよい。クラブやパーティー、街コン、その他のイベントに参加している最中に、レーダー画面３００上で相手アイコンのユーザーに出会った回数（日数）やすれ違った回数などを表示すると、ユーザーの興味を引く可能性が高い。相手アイコンの当事者に話し掛けてみたいという気を起こすこともあり、出会いのサポートになる。
【００６５】
履歴情報７０２を表示するために、情報通信装置１００は、相手アイコンのユーザーＩＤ毎に、コンタクトをとった回数、操作を行なった回数、すれ違った回数などをカウントしておく。あるいは各情報通信装置１００が個別に履歴情報の計数処理を行なうのではなく、外部の出会いサポート・サーバーが各ユーザーの履歴情報を一元的に管理するようにしてもよい。
【００６６】
参照番号７０３で示す付属情報は、相手アイコンのユーザーの名前情報である。名前情報７０３は、ユーザーの実名でもよいが、不特定多数のユーザーが自由に参加するという、クラブやパーティー、街コンなどイベントの性格上、図示の「フロアの貴公子」のように、ニックネームや抽象化した名前であることが好ましい。参加者アイコンに名前情報７０３を付加するために、情報通信装置１００は、各相手アイコン３１１、３１２、３１３、…の名前情報を取得する必要がある。例えば、各ユーザーの情報通信装置１００から送出する報知信号に、ユーザーＩＤとアイコン番号の他に名前情報を含めるようにしてもよい。あるいは、外部の出会いサポート・サーバー上で各参加者のユーザーＩＤと名前情報の対応関係を一元管理しておき、情報通信装置１００は新しいユーザーＩＤの報知信号を受信したときに、出会いサポート・サーバーにその名前情報を問い合わせるようにしてもよい。名前情報の入力方法については、後述に譲る。
【００６７】
参照番号７０４で示す付属情報は、ユーザー本人と相手アイコンのユーザーとの親密度を表す親密度情報である。親密度として、例えば過去に挨拶を交わした相手であるかどうかの識別情報を記号などで表示する。挨拶を返してきた（挨拶に成功した）相手かなども細かく表示するようにしてもよい。挨拶機能については後述する。あるいは、親密度は友人、職場の同僚といった人間関係を、指標値又は図示のようにハートマークなどの記号で表示するようにしてもよい。
【００６８】
どのような情報を付属情報としてステータス・アイコン７０１の周辺に表示するかは任意に決めることができる設計事項である。上記の履歴情報７０２、名前情報７０３、親密度情報７０４以外の付属情報を追加しても、あるいはこれらのいずれかに置き換えて他の付属情報を表示するようにしてもよい。
【００６９】
なお、後述するＭＡＰ画面４００に表示される参加者アイコンも、図７と同じ構造とする。
【００７０】
ユーザーは、レーダー画面３００上で自分アイコン３０１に対してタップなどの操作を行なうと、自分発信者情報設定機能２０１を起動して、自分アイコン３０１として表示するステータス・アイコンの種類を変更することができる。また、レーダー画面３００の右上の設定ボタン３５０をタップすると、情報通信装置１００を使用するユーザー本人すなわち自分発信者の情報を設定することができる。自分発信者情報設定機能２０１の詳細については、後述に譲る。
【００７１】
また、ユーザーは、レーダー画面３００上でいずれかの相手アイコン３１１、３１２、３１３、…に対してタップなどの操作を行なうと、相手発信者情報提示機能２０３を起動して、その相手アイコンに対応するユーザーすなわち相手発信者の情報を閲覧することができる。相手発信者情報提示機能２０３の詳細については、後述に譲る。
【００７２】
レーダー画面３００上では、挨拶機能が提供される。後述するように、相手発信者情報提示機能２０３から相手交信機能２０４を起動して相手発信者と相互接続することができるが、レーダー画面３００上でも、相手アイコンのユーザーに挨拶（Ｈｅｌｌｏ）を送って簡易にコンタクトすることができる。例えば、クラブやパーティー、街コンなどで、参加者同士の情報通信装置１００が挨拶機能を使用することで、「袖触れ合える距離に来たときには、挨拶しましょう！」といったイベントを実施することができる。
【００７３】
図８には、レーダー画面３００上での挨拶機能を図解している。挨拶機能は、自分アイコン３０１に非常に接近（例えば、５メートル以内）した相手アイコン３１１に対して、「Ｈｅｌｌｏ」などの短いメッセージを送信する機能である。但し、自分アイコン３０１に非常に接近した常態化した相手アイコン３１１に対して常に挨拶することができるのではなく、相手アイコン８１１が非常に接近してから３０秒間など一定の短いチャンスタイムの時間だけに制限する。このように挨拶機能にチャンスタイムという時間の制限を課すことにより、出会いを求めるユーザーはチャンスタイムを逃さないようにレーダー画面を注意深く眺めることになり、ユーザーを出会いに引き込んでいくという効果が期待される。
【００７４】
相手アイコン３１１が自分アイコン３０１に非常に接近してくると、相手アイコン３１１の周りに装飾８０１を表示するなどのエフェクトを掛けて、挨拶機能が有効になったことを表す。相手アイコン３１１のユーザーすなわち相手発信者が自分アイコン３０１のユーザーすなわち自分発信者と同性であれば、図８に示すように星形の装飾８０１がキラキラと表示され、自分発信者と異性のユーザーであればハート形の装飾（図示しない）がキラキラと表示される。
【００７５】
チャンスタイムの間、レーダー画面３００には、参照番号８０２で示す、「チャンスタイム！  Ｈｅｌｌｏを送ろう」などのメッセージからなる吹き出し８０２を表示して、チャンスタイムが到来したことをユーザーに通知する。また、自分アイコン３０１とチャンスタイムの対象となっている相手アイコン３１１を囲むオーラ８０３を表示してもよい。装飾８０１や吹き出し８０２、オーラ８０３は、チャンスタイムが過ぎるとともにレーダー画面３００から消滅するものとする。
【００７６】
ユーザーは、チャンスタイムの間に、自分アイコン３０１をロングタップしてから、チャンスタイムの対象となっている相手アイコン３１１に向かってスワイプするという操作を行なうことで、「Ｈｅｌｌｏ」などの短いメッセージを相手アイコン３１１の情報通信装置１００に送信して、その相手発信者に挨拶することができる。そして、レーダー画面３００上には、相手アイコン３１１の情報通信装置１００に挨拶が実行されたことを示す、「Ｈｅｌｌｏ」の吹き出し８０５が出現する。短いメッセージ送信には、近接通信部１４２からの報知信号（前述）を用いてもよいし、あるいは、近接通信部１４２又は長距離通信部１４１を用いて一時的にコネクションを張ってメッセージ送信するようにしてもよい。
【００７７】
また、レーダー画面３００上で、自分アイコン３０１をロングタップして相手アイコン３１１に向かってスワイプするという挨拶の操作を行なうと、図示のように、自分アイコン３０１から相手アイコン３１１に向かって線８０４が描画される。線８０４は、例えば、スワイプする指先をトレースするように描画し、線８０４がビヨーンと伸びていくようなエフェクトを加えてもよい。
【００７８】
チャンスタイムは、自分発信者とともに相手発信者にも到来している。相手発信者も、自分の情報通信装置１００のレーダー画面３００上で、上記と同様に挨拶を実行することができる。図９には、図８とは逆に、相手アイコン３１１から自分アイコン３０１に挨拶が行なわれる様子を示している。相手アイコン３１１のユーザーすなわち相手発信者が自分アイコン３０１のユーザーすなわち自分発信者と同性であれば、図示のように相手アイコン３１１に星形の装飾８０１がキラキラと表示され、自分発信者と異性のユーザーであればハート形の装飾（図示しない）がキラキラと表示される（同上）。そして、相手発信者側の情報通信装置１００でロングタップしてからスワイプするという挨拶の操作が行なわれると、相手アイコン３１１から自分アイコン３０１に向かって線９０４が描画される。線９０４は、例えば、スワイプする指先をトレースするように描画し、線９０４がビヨーンと伸びていくようなエフェクトを加えてもよい。
【００７９】
現実世界では、挨拶されたら挨拶を返すのが礼儀である。この礼儀を、レーダー画面３００上での挨拶機能にも適用する。図１０並びに図１１には、図９に示したように相手アイコン３１１から自分アイコン３０１に挨拶された後に、相手アイコン３１１に対して挨拶を返す操作を図解している。
【００８０】
ユーザーは、レーダー画面３００上で、自分アイコン３０１をロングタップして相手アイコン３１１に向かってスワイプする。すると、図１０に示すように、自分アイコン３０１から相手アイコン３１１に向かって線１００４が描画される。線１００４は、例えば、スワイプする指先をトレースするように描画し、線１００４がビヨーンと伸びていくようなエフェクトを加えてもよい。
【００８１】
そして、自分アイコン３０１から相手アイコン３１１へ挨拶を返す操作が完了すると、図１１に示すように、挨拶をしてきた相手アイコン３１１から自分アイコン３０１に向かって伸びる線１１０４と、自分アイコン３０１から相手アイコン３１１に向かって伸びる線１００４が絡む。線同士を絡み合わせるだけでなく、風船の紐のように少し弛んだりゆらゆらしたりするようなエフェクトを掛けるようにしてもよい。線１００４と１１０４が一旦絡み合うと、その後もしばらくは表示し続ける。したがって、ユーザーは、レーダー画面３００上で挨拶済みの相手アイコン３１１を確認することができる。
【００８２】
このようにして、自分発信者から挨拶を行ない、相手発信者から挨拶が返されると、挨拶が成功する。図１２には、相手アイコン３１１から挨拶が返されて、挨拶が成功したときのレーダー画面３００の表示を例示している。同図中、参照番号１２０１で示すように、「Ｈｅｌｌｏ成功」などのメッセージ文を含んだ吹き出しが出現する。また、「○○ポイントゲット！」のように、挨拶を行なうインセンティブをユーザーに与えるようにしてもよい。
【００８３】
また、挨拶の操作を行なった自分発信者及び挨拶された相手発信者の双方の情報通信装置１００では、表示パネル１２１を同じバックグラウンド色で発色させる、表示パネル１２１又はＬＥＤインジケーターを同じ点滅にするなど、挨拶に連動した動作を行なう。さらに、バイブレーションを起動させてもよい。自分発信者並びに相手発信者は、自分の周囲にいる他ユーザーの情報通信装置１００の画面を観察することで、自分が挨拶したユーザーや、自分に挨拶をしてきたユーザーを目視で確認することができる。
【００８４】
情報通信装置１００は、挨拶の情報を履歴情報として保存して、その後分析する。あるいは、情報通信装置１００は、挨拶の情報を出会いサポート・サーバーに送信し、出会いサポート・サーバー側で各情報通信装置１００の挨拶の情報を一元管理し、分析を行うようにしてもよい。挨拶の情報は、例えば、挨拶を行なった相手アイコンのユーザーＩＤ、挨拶を返してきた相手アイコンのユーザーＩＤ、自分からの挨拶を無視した相手アイコンのユーザーＩＤ、自分に挨拶をしてきた相手アイコンのユーザーＩＤ、自分が挨拶を返した相手アイコンのユーザーＩＤ、自分が挨拶を無視した相手アイコンのユーザーＩＤなどを含む。
【００８５】
Ｂ−２．ＭＡＰ画面
図４に示すＭＡＰ画面４００のバックグラウンドには、道路や建物などの地物を表示した地図状の模様が表示されている。そして、このバックグラウンド上に、各ユーザーの所在を表すアイコンが配置される。ここで言うユーザーは、クラブやパーティー、街コン、その他のイベントの参加者であってもよいし、コミュニティーの仲間でもよいし、さらに拡張して、出会いサポート・アプリケーションを起動している情報通信装置１００の所持者であってもよい。
【００８６】
ＭＡＰ画面４００のバックグラウンドに表示される地図の模様は、北を上に向けて表示する「ノーズアップ」、ユーザー本人の進行方向を上に向けて表示する「トラックアップ」など、その表示方法は特に限定されない。但し、情報通信装置１００のユーザー本人の現在位置を含み、過去５〜１０分の間のユーザーの移動経路をカバーできる適当な広さのエリアにアドレスされる。また、ユーザーの移動経路を辿る曲線を地図上に描画するようにしてもよい。
【００８７】
サーチ機能２０２は、例えばセンサー部１７０に含まれるＧＰＳ機能などを用いて情報通信装置１００すなわちユーザー本人の現在位置を時々刻々と追跡している。そして、ユーザー本人の現在位置を含むとともに、過去５〜１０分間のユーザーの移動経路を含む範囲の適当な縮尺からなる地図の画像情報を読み込んで、ＭＡＰ画面４００のバックグラウンドに描画して、ユーザー本人すなわち自分発信者の現在位置を表す自分アイコン４０１を、地図上のほぼ中央に配置する。また、リアルタイムで交信中の相手アイコン４１１や、５分前まで圏内にいた相手アイコン４２１、４２２、…、５〜１０分前まで圏内にいた相手アイコン４３１、４３２、…などを、色や大きさを変えて表示する。現実空間でユーザー本人が移動すると、自分アイコン４０１がほぼ中央になるよう、ＭＡＰ画面４００のバックグラウンドの地図もユーザーの移動に追従するようにドリフトする。なお、地図の画像情報は、インターネット・サービスの地図、ＧＰＳと連動するオリジナル地図、狭域サービス地図などでよく、地図画像の情報源は特に限定されない。
【００８８】
ユーザー本人が過去５〜１０分間にユーザーが移動する間に、サーチ機能２０２は、他の各ユーザーの位置情報を追跡し、各々に対応する相手アイコン４２１、４２２、４２３、…、４３１、４３２、…を、バックグラウンドの地図の模様に合わせて、各ユーザーの現在位置に対応する場所にそれぞれ配置する。ＭＡＰ画面４００上では、自分アイコン４０１の位置をリアルタイムでアップデートするが、相手アイコン４２１、４２２、４２３、…、４３１、４３２、…の位置は、例えば数分〜数十分の間隔でアップデートする。上述したレーダー画面３００がユーザー間の相対的な位置関係をリアルタイムで表示するのに対して、ＭＡＰ画面４００は、過去に遡って各ユーザーの絶対的な位置を相手アイコンで表示するという性質を持つ。
【００８９】
サーチ機能２０２が、レーダー画面３００を作成するときと同様に、周囲の情報通信装置１００からの報知信号を受信して他のユーザーを探索する場合、検出し表示される相手アイコン４２１、４２２、４２３、…、４３１、４３２、…は、ユーザーの移動経路近傍に限定される。あるいは、各ユーザーの情報通信装置１００がＧＰＳ機能などを用いて測定した位置情報を出会いサポート・サーバーで集計するようにしてもよい。この場合、情報通信装置１００のサーチ機能２０２は、出会いサポート・サーバーから提供された集計結果に基づいて周辺の他ユーザーを検出すると、ＭＡＰ画面４００上に相手アイコン４２１、４２２、４２３、…、４３１、４３２、…を表示することができる。
【００９０】
いずれのユーザー検出方法を利用するにせよ、サーチ機能２０２は、地図の表示範囲内で検出した複数の他ユーザーの情報を、通知設定画面５００を通じて設定されたユーザーの条件に基づいてフィルタリング処理し、設定されたユーザーの条件に適合するもののみをＭＡＰ画面４００に表示するものとする。
【００９１】
また、ＭＡＰ画面４００上では、相手アイコン４２１、４２２、４２３、…、４３１、４３２、…は、ＭＡＰ画面４００に出現してからの経過時間や、ユーザー本人が相手アイコン４２１、４２２、４２３、…、４３１、４３２、…に対応するユーザーとすれ違ってからの経過時間、最後にコンタクトをとってからの経過時間、ユーザー本人との距離などが大きくなると、相手アイコン４２１、４２２、４２３、…、４３１、４３２、…の表示を縮小するようにしてもよい。図４に示す例では、５〜１０分前まで圏内にいた相手アイコン４３１、４３２、…を、５分前まで圏内にいた相手アイコン４２１、４２２、…、よりも小さく表示している。このようにすれば、ユーザーは、最近すれ違った人や、最近コンタクトした人、短い距離にいる人を優先的に判別し易くなる。
【００９２】
図４では、円形状の自分アイコン４０１並びに相手アイコン４２１、４２２、４２３、…、４３１、４３２、…などの参加者アイコンを概略的に示しているが、参加者アイコンの具体的な構成は、図７に示した通りである。すなわち、参加者アイコンは、ユーザーの状態に対応した絵柄からなるステータス・アイコン７０１と、ステータス・アイコン７０１の周辺に配置された１以上の付属情報からなる。付属情報７０１、…は、自分アイコンには表示されず、相手アイコンにのみ表示され、相手アイコンのユーザーへのコンタクトを喚起する情報からなる。付属情報は、ユーザー本人が相手アイコンのユーザーに過去に関わった回数を示す履歴情報７０２、相手アイコンのユーザーの名前情報７０３、相手アイコンのユーザーの親密度を表す親密度情報７０４などである。
【００９３】
ユーザーは、ＭＡＰ画面４００上で自分アイコン４０１に対してタップなどの操作を行なうと、自分発信者情報設定機能２０１を起動して、自分アイコン４０１として表示するステータス・アイコンの種類を変更することができる。また、ＭＡＰ画面４００の右上の設定ボタン４５０をタップすると、情報通信装置１００を使用するユーザー本人すなわち自分発信者の情報を設定することができる。自分発信者情報設定機能２０１の詳細については、後述に譲る。
【００９４】
また、ユーザーは、ＭＡＰ画面４００上でいずれかの相手アイコン４２１、４２２、４２３、…、４３１、４３２、…に対してタップなどの操作を行なうと、相手発信者情報提示機能２０３を起動して、その相手アイコンに対応するユーザーすなわち相手発信者の情報を閲覧することができる。相手発信者情報提示機能２０３の詳細については、後述に譲る。
【００９５】
Ｂ−３．通知設定画面
通知設定画面５００では、レーダー画面３００やＭＡＰ画面４００で表示する相手アイコンを制限するユーザーの条件を設定する。サーチ機能２０２は、検出した（例えば、報知信号を受信できた）他ユーザーを、通知設定画面５００を通じて設定したユーザーの条件でフィルタリングして、適合するユーザーの相手アイコンのみを、レーダー画面３００やＭＡＰ画面４００に表示する。
【００９６】
ユーザーは、ＭＡＰ画面４００を左方向にスワイプすることで、通知設定画面５００に遷移させることができ、通知設定画面５００を右方向にスワイプすることで、ＭＡＰ画面４００に遷移させることができる。
【００９７】
図５には、基本的なユーザー条件を設定する通知設定画面５００を例示している。チェック・ボックス５０１にチェックを入れると、相手アイコンの表示を男性ユーザーのみに限定することができる。また、チェック・ボックス５０２にチェックを入れると、相手アイコンの表示を女性ユーザーのみに限定することができる。すなわち、通知設定画面５００は、レーダー画面３００やＭＡＰ画面４００に表示する相手発信者を、自分と同性のみ又は異性のみに、簡易に指定することができる。また、「○○回以上のみ」は、当該ユーザーと過去に関わった回数が○○回数であることを指定する。過去に関わるとは、例えば、出会った回数、すれ違った回数、挨拶（前述）を行なった回数、相手交信機能２０４などを用いて実際にコンタクト（会話）した回数などである。○○というブランク欄５０３、５０４に数値を記入すると、男性、女性を指定した場合の回数をそれぞれ指定することができる。
【００９８】
また、通知設定画面５００内で、詳細設定ボタン５０３をタップ操作などで選択すると、ユーザーの条件をさらにキーワードで絞り込むキーワード一覧画面に遷移する。
【００９９】
図１３には、キーワード一覧画面１３００の構成例を示している。図示の例では、キーワードは、例えば、出会いサポート・サービスの運営者が用意するキーワードの集合からなる運営側リスト１３１０と、個々のユーザーが投稿したキーワードの集合からなる投稿リスト１３２０と、エリア毎に限定されたキーワードの集合からなるエリア限定リスト１３３０に分類されている。
【０１００】
図１３に示す例では、運営側リスト１３１０として、「渋谷街コン」、「公園通りウォーク」、「キャラクター選抜」という３つのキーワードがリストされている。また、投稿リスト１３２０には、「ペット譲ります」というキーワードが投稿されている。また、エリア限定リスト１３３０として、「荻窪３丁目」、「買い物お願い」という２つのキーワードがリストされている。但し、キーワードをどのようなカテゴリーで分類するか、キーワードを分類するかしないかは特に限定されない。
【０１０１】
キーワード一覧画面１３００に表示されている各キーワードは、アンカーになっており、ユーザーはロングタップするなどの操作を行なうことで、キーワードを選択することができる。いずれかのキーワードを選択すると、さらにユーザーの属性でユーザーの条件を絞り込むユーザー属性設定画面に遷移する。
【０１０２】
図１４には、ユーザー属性設定画面１４００の構成例を示している。同図は、キーワードとして「渋谷街コン」が選択された時のユーザー属性設定画面１４００であり、ユーザー属性として、２０歳〜２４歳、２５歳〜２９歳、３０歳〜３４歳の３種類の年齢層を選択することができる。年齢層毎に、表示チェック・ボックス１４１１、１４１２、１４１３と、通知チェック・ボックス１４２１、１４２２、１４２３が用意されている。
【０１０３】
通知チェック・ボックスがチェックされたユーザー属性（年齢層）は、ユーザーに該当ユーザーがいることを通知するユーザーの条件となり、条件が合致する両ユーザーに連絡される。例えば、２６歳のユーザーが「渋谷街コン」で２０歳〜２４歳の年齢層を選択し、別の２２歳のユーザーが「渋谷街コン」で２５歳〜２９歳の年齢層を選択すると、互いのユーザーの条件は合致するので（但し、性別などの通知設定画面５００で設定される基本的なユーザーの条件も合致しているものとする）、両ユーザーに連絡される。
【０１０４】
例えば、各ユーザーの情報通信装置１００が、それぞれ通知設定画面５００、１３００、１４００を介して設定したユーザーの条件を近接通信部１４２からの報知信号で通知し合い、受信したユーザーの条件が自分と一致するときには、条件が合致するユーザーが存在することをユーザーに連絡する。例えば、情報通信装置１００がバイブレーションの起動や通知音の発生、画面やＬＥＤインジケーターの点滅などを行なうことで、各々のユーザーに連絡することができる。あるいは、近接通信部１４２や長距離通信部１４１を介して各ユーザーの情報通信装置１００がコネクションを張って連絡を行なう方法や、各ユーザーの情報通信装置１００で入力されたユーザーの条件を出会いサポート・サーバーに送信し、出会いサポート・サーバーが集計して、合致するユーザーへの連絡を行なうようにしてもよい。また、通知に緊急性がない場合には、バイブレーションや音、画面やＬＥＤインジケーターの点滅など即時的な動作ではなく、メールにより詳細な情報を送信して連絡を行なうようにしてもよい。
【０１０５】
また、表示チェック・ボックスがチェックされたユーザー属性（年齢層）は、レーダー画面３００やＭＡＰ画面４００などのサーチ画面上に表示すべき相手アイコンかどうかを判別するユーザーの条件となる。
【０１０６】
通知設定画面５００、１３００、１４００を介してユーザーの条件の設定が終了すると、レーダー画面３００やＭＡＰ画面４００のサーチ画面に復帰する。サーチ機能２０２は、同じイベントに参加する他のユーザーを探索して、設定されたユーザーの条件に適合するもののみをレーダー画面３００やＭＡＰ画面４００に表示するものとする。
【０１０７】
Ｂ−４．履歴情報の記録・分析
サーチ機能２０２は、レーダー画面３００やＭＡＰ画面４００を表示する際に、周辺のユーザーを探索し、検出したユーザーの履歴情報を記録したり、分析を行なったりする。
【０１０８】
サーチ機能２０２において記録する履歴情報として、相手アイコンのユーザーと出会った回数（日数）やすれ違った回数、相手交信機能２０４などを用いて実際にコンタクトをとった回数、挨拶など相手アイコンに対して操作を行なった回数などを挙げることができる。図７を参照しながら説明したように、ユーザー毎の履歴情報を集計し分析した結果を、相手アイコンの付属情報７０２、７０３、７０４、…として表示する。クラブやパーティー、街コン、その他のイベントに参加している最中に、レーダー画面３００上で相手アイコンのユーザーに出会った回数（日数）やすれ違った回数などを表示すると、ユーザーの興味を引く可能性が高い。相手アイコンの当事者に話し掛けてみたいという気を起こすこともあり、出会いのサポートになる。
【０１０９】
また、ＭＡＰ画面４００上で、出会った回数などの履歴情報の集計結果を相手アイコンの付属情報として表示すると、ユーザーは、出会った回数が多いユーザーとはどこで出会ったかを地図上で一覧することができる。ＭＡＰ画面４００上で、相手アイコンに履歴情報を併せて表示すると、相手ユーザーに出会うための交通手段が分かるだけでなく、特定のイベントで出会ったことなどが分かり、面白さが増すであろう。
【０１１０】
Ｃ．自分発信者情報設定機能
ユーザーは、初期設定画面を介して自分発信者についてのプロファイルなどの情報を設定することができる。情報通信装置１００上で出会いサポート・アプリケーションを初めて実行したとき、まず自分発信者情報設定機能１０１が起動して、初期設定画面が表示される。また、ユーザーは、レーダー画面３００やＭＡＰ画面４００上で設定ボタン３５０、４５０をタップすると、初期設定画面が表示される。
【０１１１】
図１５には、初期設定画面１５００の構成例を示している。初期設定画面１５００の最上段の性別選択ボタン１５０１をタップすることで、性別を指定することができる。例えば、性別選択ボタン１５０１をタップするたびに、性別が交互に、男、女に切り替わる。性別を男（ｂｏｙ）に設定すると、性別表示フィールド１５０２に「ｂｏｙ」と表示されるとともに、表示パネル１２１の画面は青の下地となる。一方、性別を女（ｇｉｒｌ）に設定すると、性別表示フィールドに「ｇｉｒｌ」と表示されるとともに、画面は赤の下地になる。
【０１１２】
参照番号１５０３で示す名前フィールドには、ユーザーは名前情報をテキスト入力することができる。名前情報として、ユーザーの実名を記入してもよいが、イベントには不特定多数のユーザーが自由に参加するということを考慮すると、ニックネームなどの抽象化した名前を入力することが好ましい。なお、テキスト入力する際には、１２キー、手書き入力、ＱＷＥＲＴＹ、５０音などのソフトウェア・キーボード（図示しない）が画面に表示されるものとする。
【０１１３】
参照番号１５０４で示す写真フィールドには、ユーザー本人の顔写真や似顔絵などの画像が貼り付けられる。ユーザーは、記憶部１５０に保存されている画像ファイルから、写真フィールド１５０４に使用するものを指定することができる。あるいは、カメラ部１６０で自分撮りなどにより撮影した画像をそのまま写真フィールド１５０４に貼り付けてもよい。
【０１１４】
参照番号１５０５で示す自由入力文フィールドには、自己アピールやメッセージなどユーザーが任意の文章を書き込むことができる。入力には、ソフトウェア・キーボード（前述）を使用することができる。
【０１１５】
初期設定画面１５００を介して設定された、名前や顔写真、自由入力文などの自分発信者のプロファイル報は、情報通信装置１００内に保管される他、出会いサポート・サーバーにも送信される。出会いサポート・サーバーは、各ユーザーのプロファイルを、ユーザーＩＤと対応付けて管理している。また、情報通信装置１００は、性別や名前情報などプロファイル情報の一部を、報知信号に載せて周囲に伝えることもある。
【０１１６】
また、ユーザーは、レーダー画面３００やＭＡＰ画面４００上で自分アイコン３０１に対してタップすると、ステータス表示画面が表示される。ユーザーは、ステータス表示画面上で、これまでの出会いなどに関する履歴情報を確認したり、自分が使用するステータス・アイコンを変更したりすることができる。
【０１１７】
図１６には、ステータス表示画面１６００の構成例を示している。参照番号１６０１で示すように、ステータス表示画面１６００の最上段には、自分発信者のユーザーが現在選択しているステータス・アイコンが表示されている。
【０１１８】
また、参照番号１６０２で示す履歴表示フィールドには、自分発信者のユーザーのこれまでの出会いなどに関する履歴情報が、記号で簡略化して表示されている。履歴表示フィールド１６０２をタップするなどのユーザーの操作が行なわれると、自分発信者のユーザーの履歴情報をより詳細に表示する履歴情報表示画面に切り替わる。
【０１１９】
図１７には、履歴情報表示画面１７００の構成例を示している。図示の履歴情報表示画面１７００は、自分発信者のユーザーがこれまでに出会った総人数、すれ違った数、コンタクトした数、コンタクトされた数、Ｈｅｌｌｏ数（挨拶した数、挨拶した数と挨拶された数の合計、又は、挨拶に成功した数）などの計数値を表示する。履歴情報表示画面１７００に表示される計数値は、随時アップデートされていく。
【０１２０】
情報通信装置１００は、履歴情報表示画面１７００でこのような履歴情報を提示するために、ユーザーが他のユーザーと出会う度、他のユーザーとすれ違う度、他のユーザーにコンタクトする度、コンタクトされる度、Ｈｅｌｌｏの度に、カウントし、計数値を記憶しておく。あるいは、情報通信装置１００は他のユーザーと出会いやすれ違い、コンタクトなどが行なわれる度に出会いサポート・サーバーに通知し、出会いサポート・サーバーでこれらの計数値を管理する。そして、情報通信装置１００は、履歴情報表示画面１７００を表示する際に、出会いサポート・サーバーにアクセスして、必要な情報を取得するようにしてもよい。
【０１２１】
再び図１６を参照して、ステータス表示画面１６００について引き続き説明する。履歴表示フィールド１６０２に表示される履歴情報の少なくとも一部は、レーダー画面３００やＭＡＰ画面４００などのサーチ画面上で、自分アイコンの付属情報（前述）として表示される。また、履歴情報は、周辺の情報通信装置１００のサーチ画面上でも、対応する相手アイコンの付属情報として表示される。
【０１２２】
参照番号１６０３で示す名前フィールドには、初期設定画面１６００の名前フィールド１５０３に入力した自分発信者のユーザーの名前が表示される。
【０１２３】
参照番号１６０４は、利用が可能なステータス・アイコン一覧である。ステータス・アイコン一覧１６０４に配置されている各ステータス・アイコンは、図１６では円形で簡素に描いているが、実際にはユーザーのさまざまな状態を適切に表現した絵柄からなる。ステータス・アイコンが表現するユーザーの状態の例を、図１８にリストアップしておく。
【０１２４】
ユーザーは、ステータス・アイコン一覧１６０４の中から、自分アイコンとして使用したいステータス・アイコンをタップなどの操作を行なって指定することができる。ユーザーが新しいステータス・アイコンを指定すると、ステータス表示画面１６００の最上段のステータス・アイコン１６０１の表示が切り替わるとともに、レーダー画面３００やＭＡＰ画面４００などのサーチ画面上での自分アイコンの表示にも反映される。また、ステータス・アイコンの種類はアイコン番号で識別され、ユーザーがステータス・アイコン一覧１６０４から指定したステータス・アイコンに対応するアイコン番号は、報知信号で周囲の情報通信装置１００に伝えられる。
【０１２５】
Ｄ．相手発信者情報提示機能
ユーザーは、レーダー画面３００やＭＡＰ画面４００上でいずれかの相手アイコン３１１、３１２、３１３、…に対してタップなどの操作を行なうと、相手発信者情報提示機能２０３を起動して、その相手アイコンに対応するユーザーすなわち相手発信者についてのプロファイルなどの情報を閲覧することができる。
【０１２６】
図１９には、相手発信者情報提示画面１９００の構成例を示している。参照番号１９０１で示すように、相手発信者情報提示画面１９００の最上段には、該当する相手発信者の現在のステータス・アイコンが表示されている。表示されるステータス・アイコンは、レーダー画面３００やＭＡＰ画面４００などのサーチ画面上で表示されている相手アイコンの絵柄と同じである。
【０１２７】
また、参照番号１９０２で示す履歴表示フィールドには、自分発信者のユーザーと当該相手発信者との出会いなどに関する履歴情報が、記号で簡略化して表示されている。履歴表示フィールド１９０２をタップするなどユーザーの操作が行なわれると、自分発信者のユーザーと当該相手発信者との出会いなどに関する履歴情報をより詳細に表示する履歴情報表示画面に切り替わる。
【０１２８】
図２０には、相手発信者との履歴情報表示画面２０００の構成例を示している。図示の履歴情報表示画面２０００は、自分発信者のユーザーと当該相手発信者がこれまでに出会った回数（日数）、すれ違った数、自分発信者のユーザーが当該相手発信者のプロファイル（すなわち相手発信者情報提示画面１９００）にアクセスした数、当該相手発信者が自分発信者のユーザーのプロファイルにアクセスした数、当該相手発信者とのＨｅｌｌｏ数（挨拶した数、挨拶した数と挨拶された数の合計、又は、挨拶に成功した数）などの計数値を表示する。履歴情報表示画面２０００に表示される計数値は、随時アップデートされていく。また、「出会った回数」や「すれ違った数」などの出会いの履歴情報に関する表示フィールド２００１、２００２に対してユーザーがタップ又はフリックなどの操作を行なうと、図２１に示すような、当該相手発信者と出会った場所やすれ違った場所を各々の場所の地図２１０１、２１０２上で示す地図情報画面２１００が表示される。
【０１２９】
相手発信者との履歴情報表示画面２０００でこのような自分発信者のユーザーと当該相手発信者との出会いなどに関する履歴情報を表示するために、各情報通信装置１００は他のユーザーと出会いやすれ違い、コンタクトなどが行なわれる度に出会いサポート・サーバーに通知し、出会いサポート・サーバーでこれらの計数値を管理する。そして、情報通信装置１００は、相手発信者との履歴情報表示画面２０００を表示する際に、出会いサポート・サーバーにアクセスして、必要な情報を取得する。
【０１３０】
再び図１９を参照して、相手発信者情報提示画面１９００について引き続き説明する。履歴表示フィールド１９０２に表示される履歴情報の少なくとも一部は、レーダー画面３００やＭＡＰ画面４００などのサーチ画面上で、当該相手アイコンの付属情報（前述）として表示されている。
【０１３１】
参照番号１９０３で示す名前フィールドには、当該相手発信者の名前が表示される。名前フィールド１９０３に表示される名前は、相手発信者側で初期設定画面１５００（前述）を介して入力された、ニックネームなどの抽象名である。名前フィールド１９０３に表示する名前の情報を取得するために、情報通信装置１００は、出会いサポート・サーバーにアクセスして、相手発信者のユーザーＩＤを基に名前を問い合わせる。あるいは、各情報通信装置１００が報知信号に自分の名前情報を載せて、通知し合うようにしてもよい。
【０１３２】
参照番号１９０４で示す写真フィールドには、当該相手発信者の顔写真や似顔絵などの画像が貼り付けられる。写真フィールド１９０４に表示される画像は、相手発信者側で初期設定画面１５００（前述）上に貼り付けられた画像である。情報通信装置１００は、出会いサポート・サーバーにアクセスして、相手発信者のユーザーＩＤを基に問い合わせて、写真フィールド１９０４に貼り付ける画像情報を取得する。
【０１３３】
参照番号１９０５で示す自由入力文フィールドには、当該相手発信者の自己アピールやメッセージなどの任意の文章が表示される。自由入力文フィールド１９０５に表示される文章は、相手発信者側で初期設定画面１５００（前述）を介して入力された文章である。情報通信装置１００は、出会いサポート・サーバーにアクセスして、相手発信者のユーザーＩＤを基に問い合わせて、自由入力文フィールド１９０５に表示する情報を取得する。
【０１３４】
なお、出会いサポート・サーバーは、相手発信者の顔写真や自由入力文などのプライバシーなどに関わる情報を、自分発信者からの要求に応じて無制限に提供するのではなく、一定の制限を課すようにしてもよい。例えば、相手発信者が他のユーザーへの顔写真や自由入力文の送信を許可する場合や、許可したユーザーに対してのみこれらの情報を送信するようにしてもよい。また、出会いサポート・サーバーは、出会いサポート・サービスの会費やサービス料などを支払ったユーザーにのみ、顔写真や自由入力文など相手発信者の詳細な情報を提供するようにしてもよい。
【０１３５】
参照番号１９０６は、コンタクト・ボタンである。自分発信者のユーザーは、コンタクト・ボタンに対してタップなどの操作を行なうと、相手交信機能２０４が起動して、携帯電話やインターネット電話、ソーシャル・ネットワーク・サービス（チャット、ＢＢＳ、ＬＩＮＥ、Ｆａｃｅｂｏｏｋ、Ｔｗｉｔｔｅｒなど）などを通じた相手発信者へのコンタクトが開始される。図１９では、１つのコンタクト・ボタン１９０６しか描いていないが、電話やチャット、ＬＩＮＥなど、コンタクトの手段毎に対応した複数のコンタクト・ボタンを配設してもよい。また、コンタクト・ボタン１９０６を操作して、相手交信機能２０４が起動すると、通話画面やチャット画面など相手交信画面（図示しない）に遷移する。また、コンタクトが終了すると、相手交信画面から相手発信者情報提示画面１９００に戻る。
【０１３６】
Ｅ．相手交信機能
相手交信機能２０４は、サーチ画面上に表示されている他のユーザーと電話やインターネットなどを介して相互接続して直接交信する機能である。
【０１３７】
図１９に示す例では、自分発信者のユーザーは、相手発信者情報提示画面１９００上でコンタクト・ボタン１９０６に対してタップなどの操作を行なうと、相手交信機能２０４が起動して、通話画面やチャット画面など相手交信画面（図示しない）に遷移し、携帯電話やインターネット電話、ソーシャル・ネットワーク・サービス（チャット、ＢＢＳ、ＬＩＮＥ、Ｆａｃｅｂｏｏｋ、Ｔｗｉｔｔｅｒなど）などを通じた相手発信者へのコンタクト（会話）が開始される（前述）。図１９では、１つのコンタクト・ボタン１９０６しか描いていないが、電話やチャット、ＬＩＮＥなど、コンタクトの手段毎に対応した複数のコンタクト・ボタンを配設してもよい。また、コンタクトが終了すると、相手発信者情報提示画面１９００に戻る。
【０１３８】
携帯電話やインターネット電話、ソーシャル・ネットワーク・サービスなどいずれのコンタクトの手段を利用するにせよ、情報通信装置１００の相手交信機能２０４は、出会いサポート・サーバーを経由して相手発信者側の情報通信装置１００と通信接続する。したがって、自分発信者のユーザーは、サーチ画面を通じて出会った相手発信者の電話番号やメール・アドレスなどのアドレス情報を入力する必要もなければ知る必要がない。また、相手発信者は、電話番号やメール・アドレスなどの個人情報を教えなくても、サーチ画面を通じて自分との出会いを求める相手から連絡を受けることができる。
【０１３９】
出会いサポート・サーバーは、情報通信装置１００の相手交信機能２０４からのコンタクトの要求に応じて、自分発信者と相手発信者の情報通信装置１００同士を無制限に通信接続するのではなく、一定の制限を課すようにしてもよい。例えば、相手発信者が他のユーザーとの通信接続を許可する場合や、許可したユーザーに対してのみ通信接続を行なうにしてもよい。また、出会いサポート・サーバーは、出会いサポート・サービスの会費やサービス料などを支払ったユーザーにのみ、相手発信者にコンタクトするサービスを提供するようにしてもよい。
【０１４０】
以上説明してきたように、本発明によれば、情報通信装置１００は、周辺に存在し且つ所定の条件に適合するユーザーの位置情報をアイコンで簡易に表示するレーダー画面などのサーチ画面を提示することができる。情報通信装置１００は、ユーザーがサーチ画面通じて、不特定多数のユーザーとコンタクトする手段を提供することができる。したがって、ユーザーは、情報通信装置１００を所持してクラブやパーティー、街コンなどのイベントに参加すると、他のユーザーに話し掛けたいという意欲が湧き、出会いの機会を増やすことができる。
【産業上の利用可能性】
【０１４１】
以上、特定の実施形態を参照しながら、本発明について詳細に説明してきた。しかしながら、本発明の要旨を逸脱しない範囲で当業者が該実施形態の修正や代用を成し得ることは自明である。
【０１４２】
出会いサポート・アプリケーションに適用される情報通信装置１００は、例えばスマートフォンであるが、本発明の要旨はこれに限定されない。例えば、タブレット端末やゲーム機、携帯音楽プレーヤーなど、近接通信機能とタッチ入力機能を備え、ユーザーが携帯することができるさまざまな情報機器を情報通信装置１００として使用して、出会いサポートのサービスを受けることができる。
【０１４３】
また、情報通信装置１００の近接通信部１４２は、例えばＷｉ−ＦｉやＢｌｕｅｔｏｏｔｈ（登録商標）などを利用することができるが、本発明の要旨はこれに限定されない。赤外線通信や、ＮＦＣ（Ｎｅａｒ  Ｆｉｅｌｄ  Ｃｏｍｍｕｎｉｃａｔｉｏｎ）が標準化した非接触通信などを用いて、情報通信装置１００間の近接通信を行なうようにしてもよい。
【０１４４】
要するに、例示という形態により本発明について説明してきたのであり、本明細書の記載内容を限定的に解釈するべきではない。本発明の要旨を判断するためには、特許請求の範囲を参酌すべきである。
【０１４５】
なお、本発明は、以下のような構成をとることも可能である。
（１）表示部と、
数メートル乃至数十メートル以内で無線信号を送受信する近接通信部と、
前記近接通信部の受信信号に基づいて周辺のユーザーを探索し、当該情報通信装置のユーザーを表す自分アイコン並びに周辺のユーザーを表す相手アイコンを各ユーザーの位置情報に基づいて配置したサーチ画面を前記表示部で表示するサーチ機能部と、
を具備することを特徴とする情報通信装置。
（２）前記サーチ機能部は、周辺のユーザーが所持する情報通信装置が前記近接通信部から送信する報知信号を受信したことによりユーザーを検出する、
ことを特徴とする上記（１）に記載の情報通信装置。
（３）前記報知信号は、送信元のユーザーを識別する情報とアイコンの種類を指定する情報を含む、
ことを特徴とする上記（２）に記載の情報通信装置。
（４）前記サーチ機能部は、基準位置に自分アイコンを配置するとともに、当該情報通信装置のユーザーとの相対的な位置関係に対応する画面位置に相手アイコンを配置したレーダー画面を前記サーチ画面として前記表示部で表示する、
ことを特徴とする上記（１）に記載の情報通信装置。
（５）前記レーダー画面は、前記基準位置を中心とする同心円状の複数の目盛りをバックグラウンドに有し、自分アイコンから相手アイコンまでの実空間上の距離の目安を示す、
ことを特徴とする上記（４）に記載の情報通信装置。
（６）前記サーチ機能部は、自分アイコンに接近した相手アイコンに対する挨拶機能を備える、
ことを特徴とする上記（１）に記載の情報通信装置。
（７）前記サーチ機能部は、前記挨拶機能を相手アイコンが自分アイコンに接近してから所定時間のチャンスタイムに制限する、
ことを特徴とする上記（６）に記載の情報通信装置。
（８）前記サーチ機能部は、前記挨拶機能の対象となる相手アイコンにエフェクトを掛ける、
ことを特徴とする上記（６）に記載の情報通信装置。
（９）前記サーチ機能部は、前記チャンスタイムの期間中であることを示すメッセージを表示する、
ことを特徴とする上記（７）に記載の情報通信装置。
（１０）前記サーチ機能部は、前記サーチ画面上で自分アイコンから相手アイコンに対して挨拶を行なうユーザー操作が行なわれたことに応答して、相手アイコンにメッセージを送信する、
ことを特徴とする上記（６）に記載の情報通信装置。
（１１）前記サーチ機能部は、前記サーチ画面上で自分アイコンから相手アイコンに対して挨拶を行なうユーザー操作が行なわれたこと示す線を表示する、
ことを特徴とする上記（６）に記載の情報通信装置。
（１２）前記サーチ機能部は、相手アイコンのユーザー側の情報通信装置で自分への挨拶が行なわれたことを示す線をさらに表示する、
ことを特徴とする上記（１１）に記載の情報通信装置。
（１３）前記サーチ機能部は、挨拶に成功したことを示すメッセージを表示する、
ことを特徴とする上記（６）に記載の情報通信装置。
（１４）前記サーチ機能部は、地物を表示した地図模様のバックグラウンドを有し、自分アイコンと相手アイコンをそれぞれの絶対位置に基づいて前記地図上に配置したＭＡＰ画面を前記サーチ画面として前記表示部で表示する、
ことを特徴とする上記（１）に記載の情報通信装置。
（１５）前記サーチ機能部は、前記ＭＡＰ画面上で、自分アイコンを第１の時間間隔でアップデートし、相手アイコンを前記第１の時間間隔よりも長い第２の時間間隔でアップデートする、
ことを特徴とする上記（１４）に記載の情報
（１６）前記サーチ機能部は、ユーザーの状態を表現した絵柄からなるステータス・アイコンを用いて、前記サーチ画面上に自分アイコン並びに相手アイコンを表示する、
上記（１）に記載の情報通信装置。
（１７）前記サーチ機能部は、ステータス・アイコンの周辺に１以上の付属情報を配置する、
ことを特徴とする上記（１６）に記載の情報通信装置。
（１８）前記サーチ機能部は、ユーザー本人が相手アイコンのユーザーに過去に関わった回数を示す履歴情報、相手アイコンのユーザーの名前情報、ユーザー本人と相手アイコンのユーザーとの親密度を表す親密度情報のうち少なくとも１つを付属情報として配置する、
ことを特徴とする上記（１６）に記載の情報通信装置。
（１９）前記サーチ画面に表示する相手アイコンを制限するユーザーの条件を設定する通知設定機能部をさらに備え、
前記サーチ機能部は、検出したユーザーのうち前記ユーザーの条件に適合するものの相手アイコンのみを前記サーチ画面に表示する、
ことを特徴とする上記（１）に記載の情報通信装置。
（２０）前記通知設定機能部は、性別、ユーザー本人が過去に関わったユーザーの履歴情報のうち少なくとも１つを基本的なユーザーの条件として設定する、
ことを特徴とする上記（１９）に記載の情報通信装置。
（２１）前記通知設定機能部は、キーワードのリストを提示し、前記リストからユーザーが選択したキーワードを前記ユーザーの条件として設定する、
ことを特徴とする上記（１９）に記載の情報通信装置。
（２２）前記通知設定機能部は、前記リストとして、サービス運営者が用意するキーワードの集合からなる運営側リスト、個々のユーザーが投稿したキーワードの集合からなる投稿リスト、エリア毎に限定されたキーワードの集合からなるエリア限定リストのうち少なくとも１つをユーザーに提示する、
ことを特徴とする上記（２１）に記載の情報通信装置。
（２３）前記通知設定機能部は、ユーザーが前記リストから選択したキーワードについて、さらにユーザーの属性でユーザーの条件を絞り込むユーザー属性設定を受け付ける、
ことを特徴とする上記（２１）に記載の情報通信装置。
（２４）前記通知設定機能部は、設定したユーザーの条件に適合する両ユーザーに連絡する、
上記（１９）に記載の情報通信装置。
（２５）前記サーチ機能部は、検出したユーザーの履歴情報の記録と分析を行なう、
ことを特徴とする上記（１）に記載の情報通信装置。
（２６）当該情報通信装置のユーザー本人の情報を設定する自分発信者情報設定機能部をさらに備える、
ことを特徴とする上記（１）に記載の情報通信装置。
（２７）前記自分発信者情報設定機能部は、前記情報通信装置の初回動作時又は前記サーチ画面上で設定ボタンが操作されたことに応じて、当該情報通信装置のユーザー本人に関するプロファイル情報を設定する初期設定画面を前記表示部で表示する、
ことを特徴とする上記（２６）に記載の情報通信装置。
（２８）前記自分発信者情報設定機能部は、前記初期設定画面上で、性別、名前情報、画像、自由入力文のうち少なくとも１つについて設定を受け付ける、
ことを特徴とする上記（２６）に記載の情報通信装置。
（２９）前記自分発信者情報設定機能部は、前記サーチ画面上で自分アイコンが操作されたことに応答して、当該情報通信装置のユーザー本人に関するステータスを示すステータス表示画面を前記表示部で表示する、
ことを特徴とする上記（２６）に記載の情報通信装置。
（３０）前記ステータス表示画面は、当該情報通信装置のユーザー本人の出会いに関する履歴情報を表示する、
ことを特徴とする上記（２９）に記載の情報通信装置。
（３１）前記ステータス表示画面は、利用が可能なステータス・アイコンの一覧を表示し、
前記自分発信者情報設定機能部は、前記一覧の中から選択されたステータス・アイコンを自分アイコンに設定する、
ことを特徴とする上記（２９）に記載の情報通信装置。
（３２）相手アイコンに対応する相手発信者ユーザーに関する情報を提示する相手発信者情報提示機能部をさらに備える、
ことを特徴とする上記（１）に記載の情報通信装置。
（３３）前記相手発信者情報提示機能部は、前記サーチ画面上で相手アイコンが操作されたことに応じて起動して、相手発信者情報提示画面を前記表示部で表示する、
ことを特徴とする上記（３２）に記載の情報通信装置。
（３４）前記相手発信者情報提示画面は、相手アイコンのユーザーとの出会いに関する歴情報、相手アイコンのユーザーの名前情報、相手アイコンのユーザーの画像、相手アイコンのユーザーの自由入力文のうち少なくとも一部を表示する、
ことを特徴とする上記（３３）に記載の情報通信装置。
（３５）前記相手発信者情報提示画面は、相手アイコンのユーザーへの交信を指示するコンタクト・ボタンを有する、
ことを特徴とする上記（３３）に記載の情報通信装置。
（３６）前記コンタクト・ボタンが操作されたことに応じて相手アイコンのユーザーと交信する相手交信機能部をさらに備える、
ことを特徴とする上記（３５）に記載の情報通信装置。
（３７）数メートル乃至数十メートル以内で無線信号を送受信する近接通信ステップと、
前記近接通信ステップにおける受信信号に基づいて周辺のユーザーを探索し、当該情報通信装置のユーザーを表す自分アイコン並びに周辺のユーザーを表す相手アイコンを各ユーザーの位置情報に基づいて配置したサーチ画面を表示するサーチ機能ステップと、
を有することを特徴とする情報通信方法。
（３８）表示部、
数メートル乃至数十メートル以内で無線信号を送受信する近接通信部、
前記近接通信部の受信信号に基づいて周辺のユーザーを探索し、当該情報通信装置のユーザーを表す自分アイコン並びに周辺のユーザーを表す相手アイコンを各ユーザーの位置情報に基づいて配置したサーチ画面を前記表示部で表示するサーチ機能部、
としてコンピューターを機能させるようにコンピューター可読形式で既述されたことを特徴とするコンピューター・プログラム。
【符号の説明】
【０１４６】
１００…情報通信装置
１１０…制御部、１１１…ＣＰＵ、１１２…ＲＯＭ、１１３…ＲＡＭ
１２０…表示部、１２１…表示パネル、１２２…表示インターフェース
１２３…タッチパネル、１２４…タッチ・インターフェース
１３０…音声処理部、１３１…音声出力部、１３２…音声入力部
１３４…出力端子
１４０…通信部、１４１…長距離通信部、１４２…近接通信部
１５０…記憶部、１６０…カメラ部、１６１…イメージ・センサー
１６２…ＡＦＥ処理部、１６３…カメラ・インターフェース
１７０…センサー部
【図１】
2014146357.tif 000003
【図２】
2014146357.tif 000004
【図５】
2014146357.tif 000005
【図１４】
2014146357.tif 000006
【図１７】
2014146357.tif 000007
【図１８】
2014146357.tif 000008
【図２０】
2014146357.tif 000009
【図３】
2014146357.tif 000010
【図４】
2014146357.tif 000011
【図６】
2014146357.tif 000012
【図７】
2014146357.tif 000013
【図８】
2014146357.tif 000014
【図９】
2014146357.tif 000015
【図１０】
2014146357.tif 000016
【図１１】
2014146357.tif 000017
【図１２】
2014146357.tif 000018
【図１３】
2014146357.tif 000019
【図１５】
2014146357.tif 000020
【図１６】
2014146357.tif 000021
【図１９】
2014146357.tif 000022
【図２１】
2014146357.tif 000023